(57)【要約】【課題】簡易かつ容易に排水パイプ周辺に形成された低浸水層を除去して集水機能を向上させ、排水パイプに目詰まりが生じた場合でも簡易且つ容易にその集水機能を回復することができる排水パイプの集水機能向上方法を提供する。【解決手段】盛土に打設され、複数の貫通孔が形成された排水パイプの開放端から噴水管を挿入する挿入工程と、噴水管から前記貫通孔に向けて水を噴射する噴射工程とを備える。【選択図】図２
2014173262.tif 000002
【特許請求の範囲】
【請求項１】
盛土に打設され、複数の貫通孔が形成された排水パイプの開放端から噴水管を挿入する挿入工程と、
噴水管から前記貫通孔に向けて水を噴射する噴射工程とを備えることを特徴とする排水パイプの集水機能向上方法。
【請求項２】
請求項１に記載の排水パイプの集水機能向上方法において、
前記噴水管を軸まわりに回転又は長手方向に沿って直動させる移動工程を更に備えることを特徴とする排水パイプの集水機能向上方法。
【請求項３】
請求項１又は２に記載の排水パイプの集水機能向上方法において、
前記噴水管は、周方向に沿って複数の噴射孔が形成されていることを特徴とする排水パイプの集水機能向上方法。
【請求項４】
請求項１から３のいずれか１項に記載の排水パイプの集水機能向上方法において、
前記排水パイプの打設直後に行われることを特徴とする排水パイプの集水機能向上方法。
【請求項５】
請求項１から４のいずれか１項に記載の排水パイプの集水機能向上方法において、
前記排水パイプに目詰まりが生じた際に行われることを特徴とする排水パイプの集水機能向上方法。
【発明の詳細な説明】
【技術分野】
【０００１】
本発明は、排水パイプの集水機能向上方法に関し、特に、打設された排水パイプの周辺に形成される低浸水層の除去、及び排水パイプの目詰まりの回復を行う排水パイプの集水機能向上方法に関する。
【背景技術】
【０００２】
鉄道、道路、堤防などの盛土の斜面では、大地震や集中豪雨などによって地下水が上昇し、これら盛土に地下水が浸透して強度の低下を招き、液状化して地すべりが生じる恐れがある。
【０００３】
そこで、これを防止するために特許文献１に記載されているように、一端を閉塞し、長手方向に多数の貫通孔を形成した排水パイプを盛土に打設することで、貫通孔から地下水を集水し、該地下水を排水パイプの開放端から外部に排出することで、地下水の上昇を抑えている。
【０００４】
また、このような排水パイプは、長期間による排水によって排水パイプの貫通孔に目詰まりが生じた場合には、既存の排水パイプの近傍に別途排水パイプを打設することで排水性を維持するというメンテナンス方法が取られている。
【０００５】
さらに、特許文献２に示すように、暗渠集水構造においては、集水路の近傍に多孔管を設置して高圧水を噴出した後に高圧空気を噴出して空気のバブリング作用によって目詰まりが生じた集水路の集水機能を回復する方法が知られている。
【先行技術文献】
【特許文献】
【０００６】
【特許文献１】特開２０１２−２３７１２８号公報
【特許文献２】特開２０１１−１６３０４１号公報
【発明の概要】
【発明が解決しようとする課題】
【０００７】
盛土及び排水パイプの近傍の解析を行った結果、本発明者は排水パイプの周辺に低浸水層が形成されていることを知見した。この低浸水層は、排水パイプを打設する際に、盛土が圧縮されることで形成されているものと考えられる。また、低浸水層は排水パイプの周辺に非常に薄い範囲で形成されていることを知見した。
【０００８】
この低浸水層は、土が圧縮されて形成されているため、地下水が浸透して排水パイプの貫通孔から集水する際の集水機能を阻害しているものと考えられる。
【０００９】
また、排水パイプに目詰まりが生じた場合、従来のメンテナンス方法によれば、新たに排水パイプを打設したり、別途多孔管を予め設置しておく必要があるなど、手間のかかる作業を必要とするという問題があった。
【００１０】
そこで、本発明は上記問題に鑑みてなされたものであり、簡易かつ容易に排水パイプ周辺に形成された低浸水層を除去して集水機能を向上させ、排水パイプに目詰まりが生じた場合でも簡易且つ容易にその集水機能を回復することができる排水パイプの集水機能向上方法を提供することを目的とする。
【課題を解決するための手段】
【００１１】
本発明に係る排水パイプの集水機能向上方法は、盛土に打設され、複数の貫通孔が形成された排水パイプの開放端から噴水管を挿入する挿入工程と、噴水管から前記貫通孔に向けて水を噴射する噴射工程とを備えることを特徴とする。
【００１２】
また、本発明に係る排水パイプの集水機能向上方法は、前記噴水管を軸まわりに回転又は長手方向に沿って直動させる移動工程を更に備えると好適である。
【００１３】
また、本発明に係る排水パイプの集水機能向上方法は、前記噴水管は、周方向に沿って複数の噴射孔が形成されていると好適である。
【００１４】
また、本発明に係る排水パイプの集水機能向上方法は、前記排水パイプの打設直後に行われると好適である。
【００１５】
また、本発明に係る排水パイプの集水機能向上方法は、前記排水パイプに目詰まりが生じた際に行われると好適である。
【発明の効果】
【００１６】
本発明に係る排水パイプの集水機能向上方法は、排水パイプの開放端から噴水管を挿入する挿入工程と、噴水管から貫通孔に向けて水を噴射する噴射工程とを備えているので、該噴射によって排水パイプの貫通孔近傍に形成された低浸水層を除去することができるので、簡易且つ容易に排水パイプの集水機能を向上させることができる。
【図面の簡単な説明】
【００１７】
【図１】本発明に係る排水パイプの集水機能を向上方法を説明するための断面図。
【図２】図１における排水パイプの軸直交断面図。
【図３】本発明に係る排水パイプの集水機能向上方法のフロー図。
【発明を実施するための形態】
【００１８】
以下、本発明を実施するための好適な実施形態について、図面を用いて説明する。なお、以下の実施形態は、各請求項に係る発明を限定するものではなく、また、実施形態の中で説明されている特徴の組み合わせの全てが発明の解決手段に必須であるとは限らない。
【００１９】
図１は、本発明に係る排水パイプの集水機能を向上方法を説明するための断面図であり、図２は、図１における排水パイプの軸直交断面図であり、図３は、本発明に係る排水パイプの集水機能向上方法のフロー図である。
【００２０】
図１に示すように、排水パイプ２０は、盛土１０の斜面に打設されており、排水パイプ２０の一方端は盛土１０から露出している。
【００２１】
排水パイプ２０は、鋼材などの金属からなる筒状の長尺管であり、一端が開放されると共に、他端が閉塞されている。なお、閉塞された側の他端は、排水パイプ２０を打設しやすいように先細形状に形成されていると好適である。
【００２２】
また、排水パイプ２０には、周面に複数の貫通孔２１が穿孔されている。貫通孔２１は、排水パイプ２０の長手方向及び周方向に沿って配列されている。この貫通孔２１を介して盛土１０に染み込んだ地下水が排水パイプ２０内に集水されて排水パイプ２０の開放端から排出できるようになっている。
【００２３】
また、盛土１０の排水パイプ２０の近傍には、排水パイプ２０の打設によって形成された低浸水層１１が形成されている。低浸水層１１は、非常に薄い範囲に形成されており、４０〜７０ｍｍ程度の厚さを有している。
【００２４】
本実施形態に係る排水パイプの集水機能向上方法は、この低浸水層１１を除去することによって集水機能を向上させるものであり、具体的には、図２及び３に示すように、排水パイプ２０の開放端から噴水管３０を挿入（挿入工程Ｓ１０１）して、該噴水管３０に形成された噴射孔３１から貫通孔２１に向けて水を放射状に噴射（噴射工程Ｓ１０２）することで、水圧によって低浸水層１１を除去している。
【００２５】
また、本実施形態に係る排水パイプの集水機能向上方法は、噴射工程Ｓ１０２の後に噴水管３０を軸まわりに回転又は長手方向に沿って直動させる移動工程Ｓ１０３を備えている。この移動工程Ｓ１０３は噴射孔３１から水を噴射させながら行うことで、排水パイプ２０の内周面全域に亘って水を噴射することができ、排水パイプ２０の周方向に沿って形成された貫通孔２１を介して、排水パイプ２０の外周に亘って形成された低浸水層１１を均一に除去することが可能となる。また、移動工程Ｓ１０３では、水の噴射を行わず、所定の量だけ噴射孔３１の位置を移動させた後、噴射を再開しても構わない。
【００２６】
また、本実施形態に係る排水パイプの集水機能向上方法は、従来知られていなかった低浸水層１１を除去するものであり、排水パイプ２０の打設直後に行うことで、排水パイプ２０の初期の集水性能を向上させることができ、排水パイプ２０を長期にわたって使用することができる。
【００２７】
また、本実施形態に係る排水パイプの集水機能向上方法は、排水パイプ２０の貫通孔２１に目詰まりが生じた場合に、これを除去するために行うこともできる。この場合、従来行われていたような、新規の排水パイプ２０の打設や、予め多孔管を施工しておく行う必要がないため、簡易且つ容易に排水パイプ２０の集水機能を向上させることで回復することができる。
【００２８】
なお、本実施形態に係る排水パイプの集水機能向上方法は、噴水管３０に形成される噴射孔３１は、複数形成し、放射状に水を噴射する場合について説明を行ったが、噴射孔３１の形態はこれに限られず、例えば単一の噴射孔３１を形成しても構わない。単一の噴射孔３１とした場合には移動工程Ｓ１０３において軸まわりの回転及び長手方向に沿った直動のいずれかの移動を行うと好適である。その様な変更又は改良を加えた形態も本発明の技術的範囲に含まれうることが、特許請求の範囲の記載から明らかである。
【符号の説明】
【００２９】
１０  盛土，    １１  低浸水層，    ２０  排水パイプ，    ２１  貫通孔，    ３０  噴水管，    ３１  噴射孔。
【図１】
2014173262.tif 000003
【図２】
2014173262.tif 000004
【図３】
2014173262.tif 000005